(57)【要約】【課題】本発明は、デジタルマイクロミラーを用いた光学機器、特にプロジェクタに用いるレンズの保護装置に関するものであり、安価であり、かつ紛失を防止することが可能なレンズ保護装置に関する。【解決手段】本発明は、請求項１に記載するように、投影光が投影レンズの約半分の領域のみ透過するデジタルマイクロミラー式光学機器のレンズ保護装置において、前記レンズを部分的に覆う第１の保護領域と、非使用時には前記投影光が透過する領域を覆い保護すると共に、使用時にはこの領域を開放する第２の保護領域を有することを特徴とする。【選択図】    図１
2005316346.tif 000002
【特許請求の範囲】
【請求項１】
投影光が投影レンズの約半分の領域のみ透過するデジタルマイクロミラー式光学機器のレンズ保護装置において、前記レンズを部分的に覆う第１の保護領域と、非使用時には前記投影光が透過する領域を覆い保護すると共に、使用時にはこの領域を開放する第２の保護領域を有することを特徴とするレンズ保護装置。
【請求項２】
前記第２の保護領域は、回転移動することによって、前記保護状態と開放状態が切り替わることを特徴とする請求項１項記載のレンズ保護装置。
【請求項３】
前記第２の保護領域は，前記第２の保護領域の回転移動に連動して保護領域を拡大又は縮小する可動部を有することを特徴とする請求項１項記載のレンズ保護装置。
【発明の詳細な説明】
【発明の詳細な説明】
【技術分野】
【０００１】本発明は、例えばデジタルマイクロミラー方式プロジェクタの投影レンズの保護装置に関するものである。
【背景技術】
【０００２】プロジェクタに限らず、カメラなどレンズを有する装置においては、非使用時における、レンズの保護が必要となる。
従来は、レンズキャップを用い、非使用時はレンズキャップをレンズに装着しレンズを保護し、使用時はレンズキャップを外して投影、あるいは撮影をおこなっていた。
しかしながら、このレンズキャップを用いる場合、そのレンズキャップを紛失してしまうことがあった。【０００３】ところで、デジタルマイクロミラー式のプロジェクタは、液晶プロジェクタとは異なった特性を有する。
図５に、デジタルマイクロミラー式のプロジェクタの構造図を示す。
２０は白色光源のアーク（発光点）、２１は集光ミラーとしての楕円ミラー、２２は輪帯部分が光の三原色（赤、緑、青）に分割された回転可能なカラーフィルタ、２３は光学部品であるライトトンネル、２４はコンデンサレンズ、２５は折り返しミラーとしての平面ミラー、２６は第２の折り返しミラーとしての球面ミラー、２７は反射表示手段としてのＤＭＤ（ディジタルマイクロミラーデバイス）、２８は第２のコンデンサレンズ、８は投影レンズである。【０００４】ここで、ＤＭＤ２７は、「光学」（Ｖｏｌ．２５，Ｎｏ．６，ｐ．３１３〜３１４，１９９６年）に記載されているように、２次元的に配列した各ピクセルが微小なミラーから構成され、各ピクセルごとにその直下に配置されたメモリー素子による静電界作用によって上記微小ミラーの傾きを制御し、反射光の反射角度を変化させることによってオン／オフ状態を作る反射形表示素子である。そして、ピクセルがオフの状態では、当該ピクセルの微小ミラーによる反射光が投影レンズに入射せず、ピクセルがオンの状態では、当該ピクセルの微小ミラーによる反射光が投影レンズ８に入射してスクリーンに画像を形成するように光学系部品を配置する必要がある。
なお、各ピクセルの微小ミラーのオン時の傾き角は、ＤＭＤ２７の光線の入射面に対して１０度から１２度程度と決められている。【０００５】
【技術文献１】
特開２０００−１９４０３５号
【技術文献２】
特開２００１−２４２５４２号
【発明の開示】
【発明が解決しようとする課題】
【０００６】レンズキャップの紛失防止に技術としては、例えば技術文献１に示されたような、レンズキャップと装置本体とをキャップストリングで結ぶものや、技術文献２に示されたような装置本体に開閉機構を設けるものがある。
しかしながら、キャップストリングを用いるものは、そのキャップストリングが邪魔になるという問題があり、また装置本体にｋ愛丙機構を設けるものは、装置のデザインが限定されてしまうという問題や、コストが高くなるという問題がある。【０００７】本発明は、投影レンズを部分的にしか用いていないデジタルマイクロミラー方式プロジェクタの特徴を利用して、投影レンズの保護を確実に行うと共に、保護装置の紛失という問題を解決することを目的としている。
【課題を解決するための手段】
【０００８】上記課題を解決するため、本発明は、請求項１に記載するように、投影光が投影レンズの約半分の領域のみ透過するデジタルマイクロミラー式光学機器のレンズ保護装置において、前記レンズを部分的に覆う第１の保護領域と、非使用時には前記投影光が透過する領域を覆い保護すると共に、使用時にはこの領域を開放する第２の保護領域を有することを特徴としている。
【発明の効果】
【０００９】本発明によれば、デジタルマイクロミラー方式の光学装置の本体デザイン設計に制限を加えることなく、また安価にレンズの保護を行うことが可能となる。
また、この保護装置の紛失を防止することが可能となる。
【発明を実施するための最良の形態】
【００１０】以下、本発明を実施するための最良の形態について、図面を参照して詳細に説明する。
【実施例】
【００１１】図１は本発明の実施形態を示す斜視図であり、ＤＭＤ（デジタルマイクロミラーデバイス）を用いたプロジェクタに用いられるレンズ保護装置を示している。
これらの図において、１は円筒形状の第１の保護部材であり、図示しないプロジェクタの投影レンズ側面に固定される。
２は前記第１の保護部材を覆うような円筒形状の第２の保護部材であり、投影光が透過できるように開口がレンズ中心点より深く設けられている。
この第２の保護部材は回転することにより前記開口が上方に配置された状態で投影動作が行われ、前記開口が下方に配置された状態で、投影レンズを保護する。３は第２の保護部材の開閉動作に応じて上下運動する可動部、４は第２の保護部材に設けられた第１の突起部であり、可動部３の上部に設けられたスリット開口に挿入される。
この可動部３は、前記第２の保護部材の開口が上方に配置された状態で最も下に位置し、投影光の通過する面積を最大とすように配置され、前記第２の保護部材２の開口が下方に配置された状態で最も上に位置し、前記第１の保護部材１と前記第２の保護部材２の開口との隙間を塞ぐように配置される。
５は第２の保護部材に設けられた第２の突起部、７は第１の保護部材に設けられた第３の突起であり、６は前記第１の保護部材１に設けられた第３の突起部７と第２の保護部材２の第２の突起部５とに両端が接合されるバネである。
尚、第２の突起部５と、第３の突起部７との位置関係を図２に示す。
第２の保護部材の第２の突起５は、投影レンズを保護した状態のときは、図中９の位置に配置され、投影動作を行っている状態のときは、図中１０の位置に配置される。
この位置９と位置１０とを結ぶ直線に垂直で、かつレンズの中心を通る直線上に第３の突起部が設けられている。
また、バネ６は上述の位置９と位置１０の状態で自然長となるように固定される。このため、第２の保護部材が９０度未満に回転した状態では位置９側にバネの力が加わり、９０度以上に回転した状態では、位置１０側にバネの力が加わる。
従って、第２の保護部材２は、閉じた状態または開いた状態が最も安定した状態となる。【００１２】図３に本実施例のレンズ保護装置の開閉動作を示す。
実際には可動部３は第１の保護部材１より紙面後方に位置し、部分的に台１の保護部材により覆われ見えないはずであるが、説明上、全体形状を示している。
（１）は、第１の保護部材１、第２の保護部材２、及び可動部３によって、投影レンズを完全に覆い投影レンズが保護されている状態を示している。
尚、第１の保護部材１と第２の保護部材２を繋ぐバネ６は自然長の状態であり、第２の保護部材にはバネ６による力は作用していない。
（２）は、矢印方向に第２の保護部材２を保護部材１の周りに４５度程度回転させている状態を示している。
バネ６は自然長より引き伸ばされた状態であり、第２の保護部材にはバネ６から、（１）の状態に戻そうとする方向に力が作用している。
また、可動部３は、（１）の状態よりも下方に位置している。
（３）は、矢印方向に第２の保護部材を９０度回転させた状態を示している。先に述べたとおり、９０度以下では（１）の状態に向うようにバネ６の力が第２の保護部材２に作用し、この９０度を超えると（４）の状態へ向うようにバネ６の力が保護部材２に作用する。
尚、可動部２は（２）の状態よりさらに下方に位置している。
（４）は、保護装置が完全に開閉した状態を示している。
尚、第１の保護部材１と第２の保護部材２を繋ぐバネ６は自然長の状態であり、第２の保護部材にはバネ６による力は作用していない。
また、可動部３は、最も下方に位置している。
この状態で投影動作が行われる。【００１３】図４に、第２の実施例を示す。
この実施例は，上述の第１の実施例に比べ、より簡単な構造をなしており、第２の保護部材は、分割された蓋形状に構成され、ヒンジを介して開閉動作が行われる。【００１４】本発明は、上記実施例に限定されるものではなく、例えば、ＤＭＤを用いたデジタルカメラの光学ユニットの保護装置としても利用できる。
また、保護装置の構造、各部品の配置構造も図１に限定されるものではない。
【産業上の利用可能性】
【００１５】本発明では、プロジェクタやカメラなどのレンズの保護に利用することができる。
【図面の簡単な説明】
【００１６】
【図１】（１）本発明の実施例の形態に係る保護装置の構成部品を示す斜視図である。
【図１】（２）本発明の実施例の形態に係る保護装置の構成部品を示す背面概念図である。
【図１】（３）本発明の実施例の形態に係る保護装置の構成部品を示す側面断面概念図である。
【図２】本発明の実施例の第２、及び第３の突起部の配置を説明するための第１の保護部材の背面概念図である。
【図３】本発明の実施例の形態に係る保護装置の動作を説明するための背面概念図である。
【図４】本発明の実施例の形態に係る保護装置の構成部品を示す斜視図である。
【図５】従来のデジタルマイクロミラー方式プロジェクタの構成を示す概念図である。
【符号の説明】
【００１７】１：第１の保護部材
２：第２の保護部材
３：可動部
【図１】
2005316346.tif 000003
【図２】
2005316346.tif 000004
【図３】
2005316346.tif 000005
【図４】
2005316346.tif 000006
【図５】
2005316346.tif 000007